(57)【要約】【課題】従来には検討されることがなかったパッド部材の構成、即ち、撮影者の肩の稜線に対し交差する方向に分割させる構成を採り、パッド部材が取り付けられる基板に対して摺動可能とすることによって、撮影者のより広範囲な体格にフィットし、安定させることができる可動式ショルダーパッドを提供すること。【解決手段】肩載せ型のビデオカメラ本体に装着される可動式ショルダーパッド１０を、ビデオカメラ本体に当接する基板１２と、撮影者の肩に当接するパッド部材１４とを有し、パッド部材１４は、底面形状が撮影者の肩形状に沿うように肩幅方向へ半円筒凹部状に形成され、かつ、肩の稜線に対し交差する方向に分割形成されており、基板１２に取り付けられた際に、分割された少なくとも一方が、基板１２に対して摺動可能な構成にした。【選択図】図１
2011244125.tif 000002
【特許請求の範囲】
【請求項１】
肩載せ型のビデオカメラ本体に装着される可動式ショルダーパッドであって、
前記可動式ショルダーパッドは、前記ビデオカメラ本体に当接する基板と、
撮影者の肩に当接するパッド部材と、
を有し、
前記パッド部材は、底面形状が前記撮影者の肩形状に沿うように肩幅方向へ半円筒凹部状に形成され、かつ、肩の稜線に対し交差する方向に分割形成されており、前記基板に取り付けられた際に、分割された少なくとも一方が、前記基板に対して摺動可能に構成されていることを特徴とする可動式ショルダーパッド。
【請求項２】
前記摺動可能な構成は、前記パッド部材に形成された長孔と、前記基板に形成されたネジ孔と、前記長孔と前記ネジ孔を貫通して前記基板に対し前記パッド部材を摺動可能に一体保持するネジ部材と、前記ネジ部材に嵌挿され前記長孔を被うように前記パッド部材に当接するスペーサーと、前記基板と前記パッド部材との摺動状態をオン・オフ操作する操作手段とを備えた摺動機構からなることを特徴とする請求項１記載の可動式ショルダーパッド。
【請求項３】
前記パッド部材の各部の設計値及び前記基板に対する摺動域をエルゴノミクスデータにより決定し、
前記エルゴノミクスデータのうち、腕付け根の最大前後径の平均値をμ、
前記エルゴノミクスデータのうち、腕付け根の最大前後径の標準偏差値をσとし、
かつ、前記摺動域の中央値をμとしたときに、
前記摺動域をμ±３σの範囲に設定したことを特徴とする請求項１又は２記載の可動式ショルダーパッド。
【発明の詳細な説明】
【技術分野】
【０００１】
本発明は、肩載せ型ビデオカメラ本体に装着される可動式ショルダーパッドに関し、撮影時のフィット感や安定性を高め、特に、撮影者のより広範囲な体格にも対応可能な可動式ショルダーパッドに関するものである。
【背景技術】
【０００２】
一般的に、放送用・業務用のビデオカメラ装置は、その本体を撮影者（カメラマン）の肩に担いで撮影するスタイルが多くとられており、撮影者の肩にかかる負担を軽減するため、ビデオカメラ装置底面の肩に当たる部分にショルダーパッドが設けられている。
【０００３】
従来のショルダーパッドは、凹部の底面形状と材質で撮影者の肩形状にフィットするように設計されているが、基本的な形状が決められているため、体格の小さい撮影者（特に、女性）から大きい撮影者にまで幅広く対応することは困難であり、また、ショルダーパッドの形状や寸法が撮影者の体格に合わない場合、ビデオカメラ装置の重量がうまく分散せず、撮影者の肩の一部に集中してしまい、体への負担がかかってしまうという問題が指摘されている。
【０００４】
このような問題を解決するために、様々な技術が開発されてきている。例えば、特許文献１には、ショルダーパッドが、肩の曲面に沿うようにテーパー状に延長する断面略円弧形状の曲面により底面が形成され、さらに、テーパー状に延長する方向と略一致する方向に複数の部材により分割して形成されており、その部材の少なくとも１つは、ビデオカメラ装置の光軸方向に取り付け位置を調整できるようにしたビデオカメラ装置が開示されている。
【０００５】
このビデオカメラ装置によると、ショルダーパッドを左右に分割し、前後（光軸方向）にずらしてショルダーパッドの曲面形状を調整することができるため、撮影者の肩形状に対応して曲面形状を調整し、肩にかかる装置の重量を分散し、違和感等を解消することができるとされている。
【先行技術文献】
【特許文献】
【０００６】
【特許文献１】特開平０９−２３３６２号公報
【発明の概要】
【発明が解決しようとする課題】
【０００７】
しかしながら、上述した特許文献１の技術は、撮影者の肩の稜線（Ｌ２）と円弧形状の曲面の頂点を結ぶ直線（Ｌ１）とを一致させることにより、肩にかかる装置の重量を分散させ、均一になるように工夫されているものではあるが、撮影者の肩の厚みに対応する寸法（円弧形状の広がり具合）は固定されており、例え、ショルダーパッドを左右方向（肩幅方向）に分割して、一方のパッド部を前後（光軸方向）にずらしたとしても、対応可能な撮影者の体格は、パッド部の肩の厚み方向の寸法が固定されているのであるから、ある程度限られてしまうといった問題が生じてしまう。
【０００８】
本発明は、上述の問題を解決するためのもので、従来には検討されることがなかったパッド部材の構成、即ち、撮影者の肩の稜線に対し交差する方向に分割させる構成を採り、パッド部材が取り付けられる基板に対して摺動可能（ビデオカメラ本体の光軸方向に摺動）とすることによって、より広範囲の撮影者の体格（特に、肩の厚みを重視）にフィットし、安定させることができる可動式ショルダーパッドを提供することを目的としている。
【課題を解決するための手段】
【０００９】
上述の課題に対応するため、本発明は、以下の技術的手段を講じている。
即ち、請求項１記載の発明は、肩載せ型のビデオカメラ本体に装着される可動式ショルダーパッドであって、前記可動式ショルダーパッドは、前記ビデオカメラ本体に当接する基板と、撮影者の肩に当接するパッド部材とを有し、前記パッド部材は、底面形状が前記撮影者の肩形状に沿うように肩幅方向へ半円筒凹部状に形成され、かつ、肩の稜線に対し交差する方向に分割形成されており、前記基板に取り付けられた際に、分割された少なくとも一方が、前記基板に対して摺動可能に構成されていることを特徴とする可動式ショルダーパッドである。
【００１０】
また、請求項２記載の発明は、請求項１記載の可動式ショルダーパッドであって、前記摺動可能な構成は、前記パッド部材に形成された長孔と、前記基板に形成されたネジ孔と、前記長孔と前記ネジ孔を貫通して前記基板に対し前記パッド部材を摺動可能に一体保持するネジ部材と、前記ネジ部材に嵌挿され前記長孔を被うように前記パッド部材に当接するスペーサーと、前記基板と前記パッド部材との摺動状態をオン・オフ操作する操作手段とを備えた摺動機構からなることを特徴としている。
【００１１】
そして、請求項３記載の発明は、請求項１又は２記載の可動式ショルダーパッドであって、前記パッド部材の各部の設計値及び前記基板に対する摺動域をエルゴノミクスデータにより決定し、前記エルゴノミクスデータのうち、腕付け根の最大前後径の平均値をμ、前記エルゴノミクスデータのうち、腕付け根の最大前後径の標準偏差値をσとし、かつ、前記摺動域の中央値をμとしたときに、前記摺動域をμ±３σの範囲に設定したことを特徴としている。
【発明の効果】
【００１２】
本発明によると、パッド部材を撮影者の肩の稜線に対し交差する方向へ分割形成させ、基板に対して摺動可能（基板が当接するビデオカメラ本体の光軸方向に摺動）としているため、従来品と比べ、より広範囲の体格にも対応することが可能となる。また、分割されたパッド部材の両方を基板に対して摺動させることによって、撮影者の肩の中心位置を変更することができるため、ビデオカメラ装置の重心位置に合わせて、より負担の少ない状態でビデオカメラ装置を担ぐことができる。さらに、パッド部材の構造上、撮影者の肩に当接する底面形状が半円筒凹部状になっているため、その部分に手をかける等することができ、ビデオカメラ装置を肩に担ぐ以外の多様な撮影姿勢にも柔軟に対応することが可能となる。
【図面の簡単な説明】
【００１３】
【図１】本発明に係る可動式ショルダーパッドの実施形態を示した図で、（ａ）は分解した状態、（ｂ）は組立後の状態を示したもので、可動パッド部材を基板に対して摺動させない場合の動作、（ｃ）は、組立後の状態を示したもので、可動パッド部材を基板に対して摺動させる場合の動作を示したものである。
【図２】本発明に係る可動式ショルダーパッドのうち、パッド部材を示したもので、（ａ）は、パッド部材の側面図で、（ｂ）は底面図、（ｃ）はＺ−Ｚ断面図を示している。
【図３】本発明に係る可動式ショルダーパッドのうち、パッド部材の摺動状態について示したもので、（ａ）は中央値（エルゴノミクスデータに基づく腕付根の最大前後径の平均値μ）の状態を示した側面図及び底面図、（ｂ）は、中央値からエルゴノミクス人間工学データに基づく腕付根の最大前後径の標準偏差値σ分だけ摺動させた状態（μ−σ）を示した側面図及び底面図、（ｃ）は、中央値からエルゴノミクスデータに基づく腕付根の最大前後径の標準偏差値σ分だけ摺動させた状態（μ＋σ）を示した側面図及び底面図である。
【図４】本発明に係る可動式ショルダーパッドをビデオカメラ装置に装着し、このビデオカメラ装置を撮影者が肩に担いで撮影する際の通常の撮影姿勢を示した一例図である。
【図５】本発明に係る可動式ショルダーパッドを装着したビデオカメラ装置の他の撮影姿勢を示した一例図で、（ａ）はビデオカメラ装置を脇に抱えた撮影姿勢、（ｂ）は超ローアングルの撮影姿勢を示している。
【発明を実施するための形態】
【００１４】
本発明に係る可動式ショルダーパッドの実施形態について図面を参照しながら説明する。図１は、本発明に係る可動式ショルダーパッドの一例で、（ａ）は、分解した状態を示したもの、（ｂ）は、組立後の状態を示したもので、可動パッド部材を基板に対して摺動させない（固定させる）場合の動作を示したもの、（ｃ）は、組立後の状態を示したもので、可動パッド部材を基板に対して摺動させる場合の動作を示したものである。
【００１５】
なお、１０は可動式ショルダーパッド、１２は基板、１４はパッド部材、１６は固定パッド部材、１８は可動パッド部材、２０は突部、２２は切り欠け部、２４は摺動機構、２６はネジ孔、２８は長孔、３０はネジ部材、３２はスペーサー、３４はナット、３６はノブ、３８は摺動板を表している。
【００１６】
図１（ａ）に示すように、本実施形態における可動式ショルダーパッド１０は、まず、ビデオカメラ本体の底面に取り付ける基板１２と、撮影者の肩の稜線に対して交差する方向に分割可能な固定パッド部材１６と可動パッド部材１８からなるパッド部材１４を備えている。
【００１７】
パッド部材１４は、固定パッド部材１６に形成されている突部２０を可動パッド部材１８に形成されている切り欠け部２２に重ねるような形で合わさってなる。また、分割可能となっている２つのパッド部材１４は、少なくとも一方が（一方又は両方が）基板１２に対して、摺動可能とされるが、本実施形態は、一方（可動パッド部材１８）のみ摺動可能な構成としている。
【００１８】
可動パッド部材１８は、基板１２に取り付けられており、摺動機構２４によって、基板１２に対して摺動可能となっている。本実施形態では、図１（ａ）に示すように、摺動機構２４は、まず、可動パッド部材１８に形成された長孔２８と、基板１２に形成されているネジ孔２６と、長孔２８及びネジ孔２６を貫通し、基板１２に対し可動パッド部材１８を摺動可能に一体保持するネジ部材３０と、ネジ部材３０に嵌挿され、長孔２８を被うように可動パッド部材１８に当接するスペーサー３２を含む構成とされている。
【００１９】
また、基板１２のネジ孔２６を貫通するネジ部材３０は、ナット３４によって基板１２に固定されている。また、ネジ部材３０をナット３４に貫通させた状態で、そのままビデオカメラ本体の底面に形成されているネジ孔に貫通させることで、ビデオカメラ本体に可動式ショルダーパッド１０を取り付けることが可能となっている。
【００２０】
またさらに、摺動機構２４は、図１（ａ）に示すように、基板１２と可動パッド部材１８との摺動状態をオン・オフ操作するための操作手段であるノブ３６と摺動板３８を含む構成となっている。摺動板３８に形成されたネジ孔にノブ３６のネジ部を貫通させた状態で摺動板３８を可動パッド部材１８に固定する（摺動板３８に形成されたネジ孔と可動パッド部材１８に形成されたネジ孔を用いてネジで固定する）。
【００２１】
そして、摺動板３８に形成されているネジ孔を貫通したノブ３６のネジ部は、基板１２に形成された長孔を貫通しており、ナット３４が、ノブ３６のネジに嵌挿され、長孔に当接している。このような構成により、ノブ３６を所定の方向に回転させて、摺動板３８と基板１２との間を詰め、摺動板３８に基板１２を押さえ付けることが可能となり、また、ノブ３６を逆の方向に回転させることで、摺動板３８と基板１２を離間させ、可動パッド部材１８を基板１２に対して摺動可能（基板が取り付けられるビデオカメラ本体の光軸方向に摺動）とすることができるわけである。
【００２２】
つまり、図１（ｂ）に示すように、摺動機構２４のノブ３６を押さえ付ける側（本実施形態では、右回転）に回転させると、摺動板（図示省略）が可動パッド部材１８を伴って、基板１２を押さえ付け、可動パッド部材１８が、基板１２に対して摺動できなくなり（摺動オフ）、逆に、図１（ｃ）に示すように、摺動機構２４のノブ３６を緩める側（本実施形態では、左回転）に回転させると、摺動板（図示省略）が可動パッド部材１８を伴って、基板１２から一定の間隙をもって離れるため、可動パッド部材１８を基板１２に対して摺動させることが出来る（摺動オン）ようになっているわけである。
【００２３】
可動パッド部材１８を基板１２に対して摺動（基板が取り付けられるビデオカメラ本体の光軸方向に摺動）させる場合は、図１（ｃ）に示すように、ノブ３６を緩める側に回転させ、可動パッド部材１８と基板１２を離間させる（摺動オン）。そして、図１（ａ）に示すように、ネジ部材３０に嵌挿されているスペーサー３２を摺動軸として、可動パッド部材１８を基板１２に対して摺動させることになる。可動パッド部材１８を所望の範囲摺動させた後は、再びノブ３６を締める側に回転させて、摺動板３８に基板１２を押さえ付けさせることで、可動パッド部材１８を基板１２に対して固定させるようにする（摺動オフ）。
【００２４】
なお、本実施形態では、一方のパッド部材のみが基板１２に対して摺動可能となっているが、これを他方のパッド部材（本実施例では、固定パッド部材１６に相当）も基板１２に対して摺動可能とする場合には、他方のパッド部材にも摺動機構を設けることになる。
【００２５】
続いて、本発明に係る可動式ショルダーパッドのうち、パッド部材の設計値及び基板に対する可動域（摺動域）について図面を参照しながら説明する。図２（ａ）は、パッド部材の側面図で、（ｂ）は底面図、（ｃ）はＺ−Ｚ断面図を示している。そして、図中、Ａは、パッド部材のうち、撮影者の腕付根側の設計値を示したもので、可動域（摺動域）は、中央値をエルゴノミクス（人間工学）データに基づく腕付根の最大前後径の平均値（μ）とし、さらに、腕付根の最大前後径の標準偏差値をσとしたときに、μ±σの範囲となるものである。
【００２６】
また、Ｂはパッド部材のうち、底面部分の頂点位置を示したもので、ビデオカメラ本体のビューファインダーの高さ位置（眼の高さ位置）から、エルゴノミクス（人間工学）データに基づく頚椎高（肩の高さ位置）の平均値を引いた位置となるものである。続いて、Ｃは、パッド部材のうち、腕付根側の中心点と肩側の中心点との長さを示したもので、エルゴノミクス（人間工学）データに基づく肩幅の平均値となるものである。
【００２７】
そして、Ｄは、ビデオカメラ本体を肩に担いだ際の肩角度を示したもので、エルゴノミクス（人間工学）データに基づいたものである。また、Ｅは、パッド部材のうち、腕付根側から肩側の傾斜（肩傾斜）を示したもので、エルゴノミクス（人間工学）データに基づく肩の傾斜角の平均値となるものである。そして、Ｆは、パッド部材のうち、肩側の設計値を示したもので、Ａの数値をＣの数値とＥの数値だけ移動させることによって得られるものである。なお、ＡとＦの中心点のズレは、Ｄの数値に依存するものである。
【００２８】
なお、エルゴノミクス（人間工学）とは、人体寸法・動作・生理的な反応等の人体に関する学問と定義されているもので、本実施形態におけるパッド部材の設計値は、独立行政法人産業技術総合研究所による人体寸法・形状データベース２００３のデータに基づいたものではあるが、本発明はこれに限定されるものではない。
【００２９】
また、上記では、図中のＡの可動域（摺動域）をμ±σとしているが、これは、統計学（正規分布）の考え方より、全ての人間の体格の約６８％をカバーできる（フィットし、安定する）もので、これを例えば、μ±２σにすると、全ての人間の体格の約９５％、また、μ±３σにすると、約９９％をカバーできるものとなる。
【００３０】
続いて、本発明に係る可動式ショルダーパッドのうち、パッド部材の可動域（摺動域）について図面を参照しながら説明する。図３（ａ）は、パッド部材が、基板に対して摺動させていない状態を示している。つまり、側面図にあるように、腕付根側が、エルゴノミクス（人間工学）データに基づく腕付根の最大前後径の平均値μ（中央値）の状態に位置している。この場合、底面図にあるように、パッド部材は所定の間隙をもって分割されている。
【００３１】
次に、（ｂ）は、上記のように、腕付根側が、平均値μの状態では、例えば、小柄な撮影者の肩に合わない場合に、その値をμ（平均値）からσ（標準偏差）を引いた位置に摺動した状態を示している（側面図参照）。この場合、底面図にあるように、パッド部材は間隙なく合わさっている。また、（ｃ）は、腕付根側が、平均値μの状態では、例えば、大柄な撮影者の肩に合わない場合に、その値をμ（平均値）にσ（標準偏差）を足した位置に摺動した状態を示している（側面図参照）。この場合、底面図にあるように、パッド部材は、（ａ）の底面図の状態よりも、大きく離間している。なお、本図では、μ（平均値）から引いたり足したりする値をσ（標準偏差）としているが、これを２σや３σにすることによって、上述のように、あらゆる体格の肩にもフィットすることが可能となる。
【００３２】
図４は、本発明に係る可動式ショルダーパッドをビデオカメラ本体に装着し、このビデオカメラ本体を撮影者が肩に担いで撮影する際の通常の撮影姿勢を示している。なお、４０はビデオカメラ本体、１０は可動式ショルダーパッド、１２は基板、１４はパッド部材、１８は可動パッド部材を表している。
【００３３】
図に示すように、撮影者がビデオカメラ本体４０を肩に担ぐ際には、ビデオカメラ本体４０に装着されている可動式ショルダーパッド１０のパッド部材１４を撮影者の肩に当てる形をとる。そして、可動パッド部材１８を基板１２に対して摺動（ビデオカメラ本体４０の光軸方向に摺動）させることによって、パッド部材１４を撮影者の肩にフィットし安定する位置に調整することが可能となっている。なお、本実施例では、パッド部材１４の一方である可動パッド部材１８のみ基板１２に対して摺動可能としているが、他方のパッド部材についても摺動可能としても良い。
【００３４】
図５は、本発明に係る可動式ショルダーパッドを装着したビデオカメラ本体の他の撮影姿勢を示したもので、（ａ）はビデオカメラ本体を脇に抱えた撮影姿勢で、（ｂ）は超ローアングルの撮影姿勢を表している。なお、４０はビデオカメラ本体、１０は可動式ショルダーパッド、１４はパッド部材を意味している。
【００３５】
図５（ａ）に示す撮影姿勢では、撮影者がビデオカメラ本体４０を脇に抱え、左手を撮像レンズに添えて支持し、右手を可動式ショルダーパッド１０のうち、パッド部材１４の底面部分を押さえることで、ビデオカメラ本体４０を強固に支持することができる。このようにすることで、ビデオカメラ本体４０の支持が安定し、この安定した撮影姿勢で撮像レンズの仰角或いは俯角を調整して撮影することができる。
【００３６】
続いて、図５（ｂ）に示す撮影姿勢では、撮影者が、左手で撮像レンズを保持し、右手を可動式ショルダーパッド１０のうち、パッド部材１４の底面部分を押さえながら抱えてビデオカメラ本体４０を支持し、撮影する。この撮影姿勢では、ビデオカメラ本体４０の撮像レンズを略真上に向けて撮影することが可能となっている。このように、本発明に係る可動式ショルダーパッドは、パッド部材を撮影者の肩に当てるだけではなく、多種多様な撮影姿勢にも対応することができる。
【産業上の利用可能性】
【００３７】
本発明に係る可動式ショルダーパッドは、パッド部材を基板に対して（基板が取り付けられるビデオカメラ本体の光軸方向に）摺動可能な構成となっているため、撮影者のより広範囲な体格に対応させる必要がある場合に、好適に用いることができる。また、撮影者の肩の中心位置を変更し、ビデオカメラ本体の重心位置に合わせることもできるため、より負担の少ない状態でビデオカメラ本体を担ぐ必要がある場合に効果的に用いられる。
【符号の説明】
【００３８】
１０  可動式ショルダーパッド
１２  基板
１４  パッド部材
１６  固定パッド部材
１８  可動パッド部材
２０  突部
２２  切り欠け部
２４  摺動機構
２６  ネジ孔
２８  長孔
３０  ネジ部材
３２  スペーサー
３４  ナット
３６  ノブ
３８  摺動板
４０  ビデオカメラ本体
【図１】
2011244125.tif 000003
【図２】
2011244125.tif 000004
【図３】
2011244125.tif 000005
【図４】
2011244125.tif 000006
【図５】
2011244125.tif 000007